(57)【要約】【課題】桟橋側から係留柱への掛け止めの作業を行なわずに係留柱に掛け止めることができるようにし、乗降場となる桟橋に乗り合い用の小型船舶を係留するときの乗員の労務を軽減する。【解決手段】左舷側上甲板４に、桟橋Ａの船首側係留柱Ｂに係脱可能に係止する二股状の前部フック８を位置させ、キャビン左舷側外壁４は、桟橋Ａの船尾側係留柱Ｃに係脱可能に係止する鉤状の後部フックを位置させ、桟橋Ａに接岸するときに前部フック８の開き部が船首側係留柱Ｂの方向に向くように制御し、前部フック８が船首側係留柱Ｂに係止して桟橋Ａに接岸したときに後部フック１２をフック掛け位置に起こすようにして船尾側係留柱Ｃに係止させるようにする。【選択図】図６
2019209842.tif 000002
【特許請求の範囲】
【請求項１】
船体中央に位置するキャビンの左舷側に出入り口を有していて、対の係留柱が立つ桟橋に前記係留柱の間に前記出入り口が対応するようにして接岸可能とされた小型船舶であって、
キャビンより船首側に位置する左舷側上甲板には、前記接岸する桟橋での対の係留柱の内の船首側係留柱が進入可能な開き部を備えて前記船首側係留柱に係脱可能に係止する二股状の前部フックが位置し、
キャビンの前記出入り口より船尾側のキャビン左舷側外壁には、前記接岸する桟橋で対の係留柱の内の船尾側係留柱に係脱可能に係止する鉤状の後部フックが位置していて、
前記前部フックを、該前部フックの先端部を自由端側にして前記左舷側上甲板の位置から左舷方向船外位置の範囲で停止可能に回動させる前部フック駆動手段と、
前記後部フックを、キャビン左舷側外壁内からキャビン左舷側外壁の外方に張り出るようにしてフック掛け位置に起こして、後部フックを船尾側係留柱に係止させる後部フック駆動手段と、
前記桟橋に接岸するときに前記前部フックの開き部が前記船首側係留柱の方向に向くように前部フック駆動手段を制御し、前記前部フックが前記船首側係留柱に係止して桟橋に接岸したときに前記後部フックをフック掛け位置に起こすようにして船尾側係留柱に係止させる前記後部フック駆動手段を制御する制御手段とを備えることを特徴とする小型船舶。
【発明の詳細な説明】
【技術分野】
【０００１】
本発明は、少人数が乗り降りできる小型船舶に関するものである。
【背景技術】
【０００２】
近年においては、運河の河岸などに設けられた複数の乗降場である桟橋で乗り合い客を乗降させて、運航コース中にある複数の乗降場を廻って乗客を運搬する業務が小型船舶を利用して行われるようになってきており、運河に近接する都市部での新たな交通機関としての成長が期待されている。
【０００３】
乗降場とした桟橋を廻って乗り合い客を運ぶ用途などに用いることのできる小型船舶には、７、８人程度の乗員乗客を収容するキャビンの後方に、そのキャビンに通じるようにして船尾側デッキが配置されているタイプの小型船舶があり、このような小型船舶では、桟橋に小型船舶の側舷を着けて、船尾側デッキから乗り合い客が直接的に乗り降りするように設けられている。
【０００４】
乗り合い用の上記小型船舶を乗降場に着ける場合も含めて船舶を乗降場に着ける際には、船舶から乗降場に係留索を渡し、その乗降場において人がその索を係留柱に掛け止めており、必要に応じて船舶側、或いは乗降場側から係留索を引き寄せるようにすることも行なって、乗降場に船舶の側舷を安定的に着けている。
【０００５】
このように係留索を係留地側の係留柱に掛け止めることは作業員が行なっているが、省力化を図る装置が特許文献１に示されている。
【０００６】
この特許文献１では、船体にアームコラムを介して旋回、揺動可能に取り付けられているアームと、アーム先端に取り付けられた索取り付けフックと、索取り付けフックに係止される係船索と、この係船索を巻き取り可能な係船ウインチとからなる係船索の自動繰り出し装置が示されている。
【０００７】
そしてこの装置では、アームを岸壁側へ張り出すとともに、係船ウインチが索の繰り出し方向に回転するようにしており、またアーム先端部を下げることによって岸壁側の作業員による係船索の受け取りを容易にしようとするものとされている。
【０００８】
また、特許文献２においては、船首付近の上甲板に船外に張り出しできるフックを先端に有した係船レバーを回動可能に設け、接岸する際にフックを岸壁ビットに係止させて、船舶を岸壁に横付けするようにした点が示されている。
【０００９】
また、特許文献３においては、船首舷に起伏可能な鉤状の係留装置を設け、岸壁側から係留索を前記係留装置に掛け止めることができるようにした点が示されている。
【先行技術文献】
【特許文献】
【００１０】
【特許文献１】特開平０６−０９９８８１号公報
【特許文献２】公開実用平成０２−０８３１８８号（実願昭６３−１６３２８５号のマイクロフィルム）
【特許文献３】特開昭５７−００４４９１号公報
【発明の概要】
【発明が解決しようとする課題】
【００１１】
上記乗降場を廻って乗り合い客を運ぶ小型船舶でも特許文献１における装置の利用が考えられる。しかしながら、上記係船索の自動繰り出し装置は構成が複雑であるとともに、装置全体が大型であり、乗員乗客が７、８人程度であって桟橋に接岸させるタイプの小型船舶では採用できない。またこの乗り合い小型船舶において、運航コース上の桟橋ごとに船舶を着けて係留する作業を乗員自身が行なう場合には、不要の装置になってしまう。
【００１２】
また、上記特許文献２と特許文献３に示された技術においては、船舶の船首側を桟橋に近付ける技術にとどまっていて、船舶を桟橋に横付けした状態を安定させるには、船尾側も桟橋の固定部分に何らかの方法によって支えられるようにしなければならない。
【００１３】
即ち、小型船舶の上記乗り合い客は大抵の場合、桟橋へ降りたり桟橋から船舶に乗り込むことに不慣れであり、小型船舶での乗船、降船に不安感を抱き易い。そのため、側舷に出入り口を設けた小型船舶を乗降場にした桟橋に横付けして乗り合い客を乗り降りさせるときに、特許文献２や特許文献３に示された技術を用いても、上述したように船尾側も桟橋の固定部分で支えるようにする必要があり、係留時の乗員の労務を大幅に軽減できるものとはならないという問題がある。
【００１４】
そこで本発明は上記事情に鑑み、桟橋側から係留柱への掛け止めの作業を行なわずに係留柱に掛け止めることができるようにすることを課題とし、乗降場となる桟橋に乗り合い用の小型船舶を係留するときの乗員の労務を軽減することを目的とするものである。
【課題を解決するための手段】
【００１５】
（請求項１の発明）
本発明は上記課題を考慮してなされたもので、船体中央に位置するキャビンの左舷側に出入り口を有していて、対の係留柱が立つ桟橋に前記係留柱の間に前記出入り口が対応するようにして接岸可能とされた小型船舶であって、
キャビンより船首側に位置する左舷側上甲板には、前記接岸する桟橋での対の係留柱の内の船首側係留柱が進入可能な開き部を備えて前記船首側係留柱に係脱可能に係止する二股状の前部フックが位置し、
キャビンの前記出入り口より船尾側のキャビン左舷側外壁には、前記接岸する桟橋で対の係留柱の内の船尾側係留柱に係脱可能に係止する鉤状の後部フックが位置していて、
前記前部フックを、該前部フックの先端部を自由端側にして前記左舷側上甲板の位置から左舷方向船外位置の範囲で停止可能に回動させる前部フック駆動手段と、
前記後部フックを、キャビン左舷側外壁内からキャビン左舷側外壁の外方に張り出るようにしてフック掛け位置に起こして、後部フックを船尾側係留柱に係止させる後部フック駆動手段と、
前記桟橋に接岸するときに前記前部フックの開き部が前記船首側係留柱の方向に向くように前部フック駆動手段を制御し、前記前部フックが前記船首側係留柱に係止して桟橋に接岸したときに前記後部フックをフック掛け位置に起こすようにして船尾側係留柱に係止させる前記後部フック駆動手段を制御する制御手段とを備えることを特徴とする小型船舶を提供して、上記課題を解消するものである。
【発明の効果】
【００１６】
（請求項１の発明の効果）
本発明によれば、桟橋の船首側係留柱に前部フックを係止させるとともに、船尾側係留柱に後部フックを係止させることで、桟橋に横付けした船体を安定させることができる。そのため、乗り合い客が出入り口から桟橋に降りるときや桟橋から出入り口を通るときにも不安を生じさせることがないという効果を奏する。
【００１７】
本小型船舶では、桟橋に接岸する場合、桟橋の横付けしようとする部分に対して斜めに直進して接近する。ある程度近付いたら、制御手段からの制御の下で前部フック駆動手段が動作して前部フックを左舷側上甲板から左舷方向船外位置に回動させて停止させるようにすればよい。
【００１８】
前部フックの開き部を船首側係留柱に向けながら、船首側係留柱を開き部に進み入れるようにし、前部フックに船首側係留柱が係止したら、舵を右に切って直進推力を生じさせる操船を行なう。この操船で船体の左舷側が桟橋に近付くように左回転することとなる。
【００１９】
前部フックが船首側係留柱に係止した状態で左舷側が桟橋に接岸させた後、制御手段からの制御の下で後部フック駆動手段が動作して後部フックをキャビン左舷側外壁からキャビン左舷側外壁の外方に張り出させてフック掛け位置へ起きるようにすればよい。
【００２０】
このように小型船舶を乗降場としての桟橋に接岸するときには、小型船舶の操船操作や、その操船操作に合わせた前部フック駆動手段や後部フック駆動手段の制御を操舵者や乗員によって小型船舶側から乗船したままで行なえるようになり、小型船舶を桟橋に係留する際の労務を軽減することができるという効果を奏する。
【図面の簡単な説明】
【００２１】
【図１】本発明に係る小型船舶の一例を示すもので、横付けする桟橋に向けて進む状態を示す説明図である。
【図２】一例での前部フックが左舷方向船外位置に回動した状態を示す説明図である。
【図３】一例での前部フックが船首側係留柱に係止した状態を示す説明図である。
【図４】一例での後部フックが起きる前の状態を示す説明図である。
【図５】一例での後部フックがフック係止位置に起きて船尾側係留柱に刑した状態を示す説明図である。
【図６】一例での渡し板を桟橋に掛け渡して出入り口を開いた状態を示す説明図である。
【発明を実施するための形態】
【００２２】
つぎに本発明を図１から図６に示す実施の形態に基づいて詳細に説明する。図中１は小型船舶で、該小型船舶１は乗員乗客数を７、８人程度とし、船体中央に位置するキャビン２の左舷側に出入り口３を有していて、乗降場とする桟橋Ａに左舷側を向けて、船首側係留柱Ｂと船尾側係留柱Ｃとが対となって立つ前記桟橋Ａでの前記係留柱Ｂ、Ｃの間に前記出入り口３が対応するようにして接岸可能としている船舶である。図６参照
【００２３】
キャビン２においては、図示されていないが、このキャビン２の内部での船首側に操舵席が設けられているとともに、操舵席より後方（船尾側）の空間を客室として設けている。操舵者と乗り合い客が出入りする上記出入り口３は、キャビン２のキャビン左舷側外壁４からキャビンルーフ５にかけた開口部分として形成されている。さらに出入り口３は、折り畳みできる渡し板６によって航行時には塞がれ、接岸した際に渡し板６を桟橋Ａ側に掛け渡すことで、この出入り口３が開放される。
【００２４】
（前部フック）
船体でのキャビン２より船首側に位置する上甲板であって、左舷側上甲板７に前部フック８が配置されている。前部フック８は、キャビン２の前縁に近傍となる位置で船体に枢支されていて、左舷側上甲板７の位置から左舷方向船外位置の範囲で回動可能にして取り付けられている。また、前部フック８は図示されているように左舷側上甲板７に位置しているときに船外に張り出ないように左舷から船首に亘る曲線に対応した曲がり形状を呈するとともに、枢支部分から長手方向前方に向けて開く二股状に設けられている。
【００２５】
前部フック８は二股状とすることで、股の部分を、接岸する桟橋Ａでの上記船首側係留柱Ｂが進入可能な開き部９として備えており、後述するように船首側係留柱Ｂに係脱可能に係止するものである。
【００２６】
そして、図４に示すように上記左舷側上甲板７の船体内部側となる部分に、例えば電動モーターとこの電動モーターの駆動力を前部フック８の枢支部分に伝える駆動力伝達機構からなる前部フック駆動手段１０が設けられている。この前部フック駆動手段１０は、前部フック８を、該前部フック８の先端部を自由端側にして左舷側上甲板７の位置から左舷方向船外位置の範囲で停止可能に回動させる働きをするものである。
【００２７】
（後部フック）
キャビン２の上記出入り口３より船尾側となるキャビン左舷側外壁４に、横方向（船長方向）で互いに逆方向に動く上下対の鉤体１１からなる後部フック１２が配置されている。後部フック１２は、鉤体１１それぞれをキャビン左舷側外壁４内からこのキャビン左舷側外壁４の外方に張り出るようにしてフック掛け位置に起こすことができ、対の鉤体１１を横方向で互いに逆方向に動かして、接岸する上記桟橋Ａで船尾側係留柱Ｂに係脱可能に係止するものである。図１から図３に示されているように、対の鉤体１１からなる後部フック１２は航行時にはカバー４ａにて覆われるようにしていいる。
【００２８】
そして、図４に示すようにキャビン左舷側外壁４において船体内方となる側に、後部フック１２を動かす後部フック駆動手段１３が設けられている。後部フック駆動手段１３は、後部フック１２を、上述したようにキャビン左舷側外壁４内からキャビン左舷側外壁４の外方に張り出るようにしてフック掛け位置に起こすものである。後部フック１２をフック掛け位置に起こすことで、この後部フック１２を船尾側係留柱に係止させることができる。
【００２９】
（制御手段）
船体には、キャビン２の操舵席の近傍位置に不図示の操作盤を付設する形態にして制御手段１４が設けられている。この制御手段１４は、前部フック駆動手段１０と後部フック駆動手段１３とを制御するもので、前記操作盤を介した乗員からの操作により、前部フック駆動手段１０に対しては、桟橋Ａに接岸するときに前部フック８の開き部９が船首側係留柱の方向に向くように制御する。同様に、後部フック１３に対しては、前記前部フック８が船首側係留柱Ｂに係止して桟橋Ａに接岸したときに、後部フック１２をフック掛け位置に起こして船尾側係留柱Ｃに係止させるように制御する。
【００３０】
なお、図４において、前フック駆動手段１０と後部フック駆動手段１３と制御手段１４とはこれらの関連を明確にするために概略的な図として表現した。
【００３１】
（接岸時操船）
小型船舶１で桟橋Ａに接岸する際、図１に示すように桟橋Ａの横付けしようとする部分に対して斜めに直進して接近する。ある程度近付いたら、図２に示すように制御手段１４からの制御の下で前部フック駆動手段１０を動作させて、前部フック８を左舷側上甲板７から左舷方向船外位置に回動させて停止させるようにする。
【００３２】
前部フック８の開き部９を船首側係留柱Ｂに向けながら、その船首側係留柱Ｂを開き部９に進み入れるようにし、前部フック８に船首側係留柱Ｂを係止させる。前部フック８が船首側係留柱Ｂに係止したら、舵を右に切って直進推力を生じさせる操船を行なう。図３に示すようにこの操船で船体の左舷側が桟橋Ａに近付くように左回転することとなる。
【００３３】
前部フック８が船首側係留柱Ｂに係止した状態で左舷側が桟橋に接岸させた後、制御手段１４からの制御の下で後部フック駆動手段１３を動作させ、後部フック１２をキャビン左舷側外壁４からキャビン左舷側外壁の外方に張り出させてフック掛け位置へ起おす。図４、図５
【００３４】
前部フック８を船首側係留柱Ｂに係止させ、後部フック１２を船尾側係留柱Ｃに係止させた後に、図６に示すように渡し板６を桟橋Ａに架け渡して、出入り口３を開くようにすればよい。
【符号の説明】
【００３５】
１…小型船舶
２…キャビン
３…出入り口
４…キャビン左舷側外壁
６…渡し板
７…左舷側上甲板
８…前部フック
９…開き部
１０…前部フック駆動手段
１１…鉤体
１２…後部フック
１３…後部フック駆動手段
１４…制御手段
Ａ…桟橋
Ｂ…船首側係留柱
Ｃ…船尾側係留柱
【図１】
2019209842.tif 000003
【図２】
2019209842.tif 000004
【図３】
2019209842.tif 000005
【図４】
2019209842.tif 000006
【図５】
2019209842.tif 000007
【図６】
2019209842.tif 000008